(57)【特許請求の範囲】
【請求項１】
軽量気泡コンクリートから成るパネル本体と、前記パネル本体の表面に形成された溝と、を有する軽量気泡コンクリートパネルであって、
前記溝は、底部側から開口側に向かうにつれて間隔が広がるように対向して配された一対の内側面を有し、
前記内側面はそれぞれ、前記表面に対する傾斜が異なる、開口側に配された第１の側面部および底部側に配された第２の側面部を少なくとも有し、
前記一対の第２の側面部は、前記溝の底部で互いに突き合わされており、
前記第１の側面部が、パネル内部を通り表面に平行な仮想面に対して成す第１の角度θ１が、前記第２の側面部が前記仮想面に対して成す第２の角度θ２よりも大きいこと、を特徴とする軽量気泡コンクリートパネル。
【請求項２】
前記第１の角度θ１は、４５°超、９０°未満である、請求項１に記載の軽量気泡コンクリートパネル。
【請求項３】
前記第２の角度θ２は、１０°以上、４５°以下である、請求項１または２に記載の軽量気泡コンクリートパネル。
【請求項４】
前記第１の側面部と前記第２の側面部とは、連続して設けられている、請求項１〜３のいずれか１項に記載の軽量気泡コンクリートパネル。
【発明の詳細な説明】
【技術分野】
【０００１】
本発明は、軽量気泡コンクリートパネルに関する。詳しくは、表面に溝が形成された軽量気泡コンクリートパネルに関する。
【背景技術】
【０００２】
軽量気泡コンクリート（ＡＬＣ：Autoclaved Lightweight aerated Concrete）パネルは、軽量性、断熱性、不燃性、耐火性など、優れた特徴を持つ建材として、建築物の壁、屋根、床等に広く用いられている。
ＡＬＣパネルを製造する際には、珪石又はセメント等の主原料に、アルミニウム粉末等の添加物を加えて混練し、それによって得られた混合液を所定の型枠内に流し込み、化学反応によって混合液を発泡させると同時に徐々に硬化させる。そして、混合液が半硬化状態となったところでピアノ線等により所定のパネル形状に切断した後、オートクレーブ（高温高圧蒸気釜）を用いた養生を行って、完全に硬化したＡＬＣパネルを得る。
【０００３】
このようにして得られるパネルの表面は、製造の都合上、一般に平面となるため、表面の意匠性が乏しい問題があった。そこで、従来から、この問題を克服するために、軽量気泡コンクリートパネル表面に凹凸模様を付与するために、（１）ＡＬＣパネルの表面を刃物で切削し、凹凸模様を付与する方法、あるいは、（２）固定式の表面加工具を軽量気泡コンクリートパネルに食い込ませた状態で、パネル表面と相対的に移動させ、切肌溝部と割肌凹部との組み合わせからなる意匠凹部を同時形成する方法（特許文献１）などが提案されている。
【先行技術文献】
【特許文献】
【０００４】
【特許文献１】特開２００１−１３８３２０号公報
【発明の概要】
【発明が解決しようとする課題】
【０００５】
しかしながら、半硬化状態の混合液をパネル形状に切断する際に、厚みに誤差が生じる場合がある。
パネル表面に溝又は凹凸模様を研削加工する際に、刃物等の加工具と、加工時にパネルを乗せる載置面との距離は一定とされている。このため、パネル厚みに誤差があると、研削深さにも誤差が生じてしまう。すなわち、基準厚みよりもパネルが薄いと、削られる深さは浅くなり、基準厚みよりもパネルが厚いと、削られる深さは深くなる。例えば、パネル厚みには±２．０ｍｍ程度の製造誤差が生じることがある。
【０００６】
図５は、従来のＡＬＣパネルの溝形状を示す断面図である。
従来の例えば逆台形状の溝では、研削深さＨが６ｍｍを基準とし、この場合の溝幅（開口幅）Ｗは１５ｍｍである（図５（ａ）参照）。これに対して、図５（ｂ）に示すように、研削深さＨが４ｍｍ（基準値との差：−２ｍｍ）と浅くなると、溝幅Ｗが１２．３７ｍｍ（−２．６３ｍｍ）と基準値よりも狭くなる。一方、図５（ｃ）に示すように、研削深さＨが８ｍｍ（+２ｍｍ）と深くなると、溝幅Ｗが１７．７ｍｍ（+２．７ｍｍ）と基準値よりも広くなる。このように、パネルの厚みにばらつきがあると、溝幅にまでばらつきが生じてしまう。また、ダイナミックなデザインとするために、溝幅を広くすると、溝幅のばらつきがより目立ってしまう（後掲する図２参照）。
パネルを複数枚、例えば壁面等に並べて施工する場合、特に溝の長手方向に隣接したパネルのつなぎ目部分で溝幅が変わると、全体の統一感に欠け美観を損ねてしまう。
また、切削パターンには出尽くした感があり、近年では新しい切削パターンは見受けられなくなっており、新鮮味がなく飽きられやすくなっている問題があった。
【０００７】
本発明は、上述した従来の実情に鑑みてなされたものであり、溝幅のばらつきを抑え、かつ、美観性に優れた軽量気泡コンクリートパネルを提供することを目的とする。
【課題を解決するための手段】
【０００８】
［１］
軽量気泡コンクリートから成るパネル本体と、前記パネル本体の表面に形成された溝と、を有する軽量気泡コンクリートパネルであって、
前記溝は、底部側から開口側に向かうにつれて間隔が広がるように対向して配された一対の内側面を有し、
前記内側面はそれぞれ、前記表面に対する傾斜が異なる、開口側に配された第１の側面部および底部側に配された第２の側面部を少なくとも有し、
前記一対の第２の側面部は、前記溝の底部で互いに突き合わされており、
前記第１の側面部が、パネル内部を通り表面に平行な仮想面に対して成す第１の角度θ１が、前記第２の側面部が前記仮想面に対して成す第２の角度θ２よりも大きいこと、を特徴とする軽量気泡コンクリートパネル。
［２］
前記第１の角度θ１は、４５°超、９０°未満である、［１］に記載の軽量気泡コンクリートパネル。
［３］
前記第２の角度θ２は、１０°以上、４５°以下である、［１］または［２］に記載の軽量気泡コンクリートパネル。
［４］
前記第１の側面部と前記第２の側面部とは、連続して設けられている、［１］〜［３］のいずれか１項に記載の軽量気泡コンクリートパネル。
【発明の効果】
【０００９】
本発明の軽量気泡コンクリートパネルによれば、溝の内側面を、傾斜の異なる２段階構造とし、開口側の第１の側面部の傾斜を、底面側の第２の側面部よりも急にすることで、パネルの研削深さの誤差に起因する、溝幅のばらつきを抑制することができる。また、第１の側面部の傾斜を第２の側面部よりも急にすることで、第１の側面部の陰影が第２の側面部に映り込み、陰影のコントラストによる美観を向上することができる。また、光の当たる角度によって影の見え方も変わるため、陰影の変化を楽しむことができる。したがって、本発明では、溝幅のばらつきを抑え、かつ、美観性に優れた軽量気泡コンクリートパネルを提供することができる。
【図面の簡単な説明】
【００１０】
【図１】本発明の軽量気泡コンクリートパネルの一構成例を示す図であり、（ａ）は平面図、（ｂ）は溝の形状を拡大して示す断面図。
【図２】実施例で研削深さを変えて形成した溝形状を示す断面図。
【図３】比較例１で研削深さを変えて形成した溝形状を示す断面図。
【図４】比較例２で研削深さを変えて形成した溝形状を示す断面図。
【図５】従来の溝について研削深さが変わった場合の溝形状を示す断面図。
【発明を実施するための形態】
【００１１】
以下、本発明の実施の形態について、図面を参照しながら説明する。
図１は、本実施の形態に係る軽量気泡コンクリートパネル（以下、ＡＬＣパネルと称する。）の一構成例を示す図であり、（ａ）は平面図であり、（ｂ）は（ａ）中、溝の形状を拡大して示す断面図である。
本実施の形態に係るＡＬＣパネル１は、軽量気泡コンクリートから成るパネル本体１０と、前記パネル本体１０の表面１０ａに形成された溝１１と、を有する。
【００１２】
軽量気泡コンクリートとしては、例えば、ＪＩＳＡ５４１６に記載のＡＬＣなどをあげることができる。例えば、セメント、石灰質原料、珪酸質原料、水を主原料として、内部に多量の気泡が混入された、かさ比重０．１〜１．０程度の硬化体と、内部に埋設された補強材とから構成されている軽量気泡コンクリートを挙げることができる。
【００１３】
さらに本実施形態のＡＬＣパネル１は、気泡を含有するものならば、どのような形状の製品も含み、建物の床、屋根、間仕切りとして使用されるフラットパネル、外壁の出隅部、入隅部に利用されるＬ字型、Ｒ型のコーナーパネル、さらには、所定の形状に加工されたものが挙げられる。
【００１４】
パネル本体１０の大きさは特に限定されるものではないが、一例として、図に示すパネル本体１０は、長辺が１８２０ｍｍ、短辺が６０６ｍｍ、厚さが３７ｍｍの、略長方形状の板状を成している。
【００１５】
パネル本体１０の一方の表面１０ａには、複数の溝１１が、パネル本体１０の長辺と略平行に形成されている。溝１１の深さ（最大深さ）は、特に限定されるものではないが、例えば６ｍｍである。これらの溝１１の幅は、特に限定されるものではないが、例えば３０〜４０ｍｍである。また、これらの溝１１のピッチは、特に限定されるものではないが、例えば７０〜８０ｍｍである。
そして、本実施の形態に係るＡＬＣパネル１は、溝１１の内側面２０は、内側面２０はそれぞれ、表面に対する傾斜が異なる、開口側に配された第１の側面部２１および底部側に配された第２の側面部２２を少なくとも有し、第１の側面部２１が、パネル内部を通り表面に平行な仮想面１０ｂに対して成す第１の角度θ１が、前記第２の側面部２２が仮想面１０ｂに対して成す第２の角度θ２よりも大きいこと、を特徴とする。
【００１６】
溝１１は、底部側から開口側に向かうにつれて間隔が広がるように対向して配された、一対の内側面２０を有する。内側面２０は、それぞれ、表面１０ａに対する傾斜の異なる、２つ以上の側面部を有する。本実施形態のＡＬＣパネル１では、内側面２０は、開口側に配された第１の側面部２１と、底部側に配された第２の側面部２２と、を有する。
そして、本実施形態のＡＬＣパネル１は、第１の側面部２１が仮想面１０ｂに対して成す第１の角度θ１が、第２の側面部２２が仮想面１０ｂに対して成す第２の角度θ２よりも大きいこと、を特徴とする。
【００１７】
内側面２０の傾斜を２段階に設け、開口側の第１の側面部２１の傾斜を、底面側の第２の側面部２２の傾斜よりも急にすることで、第１の側面部２１が第２の側面部２２から立ち上がる形状となる。パネル本体１０の厚み誤差によって研削深さ（溝深さ）が変わっても、開口側の第１の側面部２１が急になっているので、幅の変化を吸収することができる。すなわち、研削深さの誤差に起因する、溝幅の変化をより小さく抑制することができる。これにより、パネル間での溝幅のばらつきを抑え、均一化することができる。
【００１８】
また、第１の側面部２１の傾斜を第２の側面部２２の傾斜よりも急にすることで、第１の側面部２１が第２の側面部２２から立ち上がる形状となり、第１の側面部２１の陰影を第２の側面部２２に映り込ませることができる。これにより陰影のコントラストによる美観を向上することができる。また、光の当たる角度によって影の見え方も変わるため、陰影の変化を楽しむことができる。よって、本実施形態のＡＬＣパネル１は、美観に優れたものとなる。
【００１９】
第１の側面部２１は、つぎのような形状であることが好ましい。つまり、第１の側面部２１が仮想面１０ｂに対して成す第１の角度θ１は、４５°超、９０°未満であることが好ましい。θ１が４５°超であると、第１の側面部２１の立ち上がり形状による、溝幅変化の抑制効果を得ることができる。かつ、第１の側面部２１の陰影を第２の側面部２２に映り込ませることができる。これらの観点から、θ１は６０°以上であることがより好ましい。また、θ１を９０°未満とすることにより、加工が比較的容易となる。
【００２０】
第２の側面部２２は、つぎのような形状であることが好ましい。つまり、第２の側面部２２が仮想面１０ｂに対して成す第２の角度θ２が、１０°以上、４５°以下の範囲であることが好ましい。
θ２を１０°以上とすることにより、第１の側面部２１の陰影をきれいに映り込ませることができ、かつ、映り込んだ陰影をダイナミックに見せることができ、美観上好ましい。θ２を４５°以下とすることにより、第１の側面部２１による、溝幅のばらつき抑制効果が実効あるものとなる。
【００２１】
第１の側面部２１と第２の側面部２２とは、連続して設けられている。第１の側面部２１と第２の側面部２２との間に、例えば平面部又は曲面部を介さず、第１の側面部２１と第２の側面部２２とが連続して設けられていることにより、第１の側面部２１による陰影を第２の側面部２２にきれいに映り込ませることができ、陰影をよりダイナミックに見せることができる。
【００２２】
内側面２０に対する第１の側面部２１の高さ方向の割合は、特に限定されるものではないが、内側面２０および第１の側面部２１の、パネル１の厚み方向の高さ（深さ）をそれぞれＨ，ｈとした場合、ｈ／Ｈ＝１／３以上、２／３以下であることが好ましい。
第１の側面部２１の割合が１／３以上であることで、パネル１厚みの誤差が大きくなった場合でも、幅のばらつきを抑制する効果が十分に得られる。かつ、第２の側面部２２に映り込む影をダイナミックに見せることができる。第１の側面部２１の割合が２／３以下であることで、第２の側面部２２に映り込む陰影が大きくなり第２の側面部２２の全体が暗くなることがなく、陰影のコントラストを楽しむことができる。
【００２３】
一対の第２の側面部２２は、溝１１の底部において突き合わされている。すなわち、溝１１の底部は平面ではなく、尖った形状とされている。一対の第２の側面部２２の間に、例えば平面部又は曲面部を介さず、一対の第２の側面部２２が突き合わされていることにより、第２の側面部２２に映り込んだ陰影をよりダイナミックに見せることができる。
【００２４】
このような溝１１は、従来と同様の方法により、パネル本体１０の表面１０ａに形成することができる。例えば、上述したような溝１１の形状に対応した形状を有する、切削工具等の表面加工具を用い、加工具を、パネル本体１０の表面１０ａに食い込ませた状態で、加工具とパネル本体１０とを相対的に移動させることにより、上述したような形状を有する溝１１を形成することができる。
【００２６】
このような本実施形態に係るＡＬＣパネル１を複数枚、例えば壁面等に並べて施工する場合、溝１１の長手方向で隣接するパネル１のつなぎ目部分で、連続する溝１１の幅が変わることがない。これにより壁面全体として統一感が得られ、美観に優れたものとなる。
【実施例】
【００２７】
以下、本発明の効果を確認するために行った実施例および比較例について説明するが、本発明はこれらの実施例に限定されるものではない。
ＡＬＣパネル本体の表面に研削加工を施して溝を形成する際に、研削深さに誤差があった場合の、溝幅（開口幅）への影響を、溝の断面形状を変えて評価した。
溝の断面形状に対応した形状の切削工具を用いて、ＡＬＣパネル本体の表面に溝を形成した。
開口幅３１ｍｍ、深さ６ｍｍの溝を基準値とし、研削深さ（最大深さ）Ｈを４ｍｍ（基準値−２ｍｍ）、８ｍｍ（基準値＋２ｍｍ）と変えた場合の、開口幅Ｗを測定した。
【００２８】
（実施例）
切削工具を用いて、図１（ｂ）に示すような立ち上がり部分を有する溝を形成した。基準となる溝の形状はつぎのようにした。すなわち、図１（ｂ）において、深さＨ＝６ｍｍ、第１の側面部の高さｈ＝３ｍｍ、開口幅Ｗ＝３１ｍｍ、第２の側面部部分の開口幅ｗ＝２７ｍｍとした。
研削深さ（最大深さ）Ｈを６ｍｍ、４ｍｍ、８ｍｍとした場合の溝形状を図２（ａ）〜（ｃ）にそれぞれ示す。なお、図２中の点線は、溝の基準深さを示している。
【００２９】
（比較例１）
逆台形状の切削工具を用いて、図３に示すような逆台形状の溝を形成した。
研削深さ（最大深さ）Ｈを６ｍｍ、４ｍｍ、８ｍｍとした場合の溝形状を図３（ａ）〜（ｃ）にそれぞれ示す。なお、図３中の点線は、溝の基準深さを示している。
【００３０】
（比較例２）
円弧形状の溝  円弧形状を持つ切削工具を用いて、図４に示すような円弧形状の溝を形成した。
研削深さ（最大深さ）Ｈを６ｍｍ、４ｍｍ、８ｍｍとした場合の溝形状を図４（ａ）〜（ｃ）にそれぞれ示す。なお、図４中の点線は、溝の基準深さを示している。
実施例および比較例１，２で形成した溝について、研削深さＨを変えた場合の、開口幅Ｗと基準値からのずれを表１に示す。
【００３１】
【表１】
0006326311.tif 000002
【００３２】
表１から明らかなように、比較例１，２のパネルでは、溝の研削深さが変わった場合に、開口幅が基準幅から大きくずれてしまった。これに対し、実施例のパネルでは、溝の研削深さが変わっても、開口幅の基準幅からのずれを小さく抑えることができた。
【００３３】
また、実施例のパネルと比較例１のパネルに対し、溝の長手方向に略直交するように、斜め上方から光を照射したところ、比較例２のパネルでは陰影が見えなかった。これに対し、実施例のパネルでは、第２の側面部分に映り込んだ陰影を見ることができた。
【００３４】
このように、本発明では、溝幅のばらつきが抑えられ、かつ、美観性に優れた軽量気泡コンクリートパネルを提供することができる。
本発明によれば、従来にない斬新な表面模様を有した軽量気泡コンクリートパネルが得られ、差別化、個性化、高付加価値化などの、近年の建築市場ニーズに十分対応し得ることができる。
【００３５】
以上、本発明の実施の形態について説明してきたが、本発明はこれに限定されるものではなく、発明の趣旨を逸脱しない範囲で適宜変更可能である。
例えば、上述した実施の形態では、長方形状のパネル本体の長手方向に略平行に、複数の溝が形成されている場合を例に挙げて説明したが、本発明はこれに限定されるものではなく、長方形状のパネルの短辺方向に略平行に、あるいは辺に対して斜め方向に溝が形成されている場合にも、本発明は適用可能である。また溝の本数も限定されず、溝が１本のみであってもよい。
【産業上の利用可能性】
【００３６】
本発明による軽量気泡コンクリートパネルを用いることで、溝幅のばらつきが抑えられ、かつ、美観性に優れたものとなり、外壁等の建材として広く利用することができる。
【符号の説明】
【００３７】
１    ＬＣパネル
１０    パネル本体
１１    溝
２０    内側面
２１    第１の側面部
２２    第２の側面部
【図１】
0006326311.tif 000003
【図２】
0006326311.tif 000004
【図３】
0006326311.tif 000005
【図４】
0006326311.tif 000006
【図５】
0006326311.tif 000007